(57)【要約】【課題】  緑化のための人工地盤を撤去することなく、建物の防水層の状態を確認することができる屋上緑化構造およびこれを用いた屋上防水メンテナンス方法を提供する。【解決手段】  屋上緑化構造１は、主に、バルコニー１０と、このバルコニー１０から所定間隔を隔てて設けられた緑化ステージ２０と、この緑化ステージ２０上に設けられた緑化システム３０と、バルコニー１０と緑化ステージ２０との間に設けられたドレイン部４０と、から構成されている。【選択図】      図１
2006055111.tif 000002
【特許請求の範囲】
【請求項１】
建物の屋上に構築される屋上緑化構造であって、
前記屋上の外周縁に沿って立設される周壁と、
前記屋上の少なくとも床面を被覆する防水層と、
前記周壁及び前記防水層から所定間隔を隔てて配置される緑化ステージと、
前記緑化ステージ上に設けられる緑化システムと、
前記周壁と前記緑化ステージとの間に形成される第１ドレイン部と、
前記防水層と前記緑化ステージとの間に形成され、前記第１ドレイン部と連通する第２ドレイン部と、
前記周壁に設けられ、前記第１ドレイン部と前記屋上の外部とを連通する第３ドレイン部と、を有することを特徴とする屋上緑化構造。
【請求項２】
前記第１ドレイン部の少なくとも一部は、当該第１ドレイン部に流入した不要物を撤去可能な幅に形成されていることを特徴とする請求項１に記載の屋上緑化構造。
【請求項３】
前記第１ドレイン部の上部開口部を覆う着脱自在な透水性カバーをさらに備えることを特徴とする請求項１または請求項２に記載の屋上緑化構造。
【請求項４】
請求項１から請求項３のいずれか１項に記載の屋上緑化構造を有する建物における屋上防水メンテナンス方法であって、
前記第２ドレイン部に撮像装置を挿入し、前記防水層を撮像することにより、前記防水層の状態を確認することを特徴とする屋上防水メンテナンス方法。
【発明の詳細な説明】
【技術分野】
【０００１】
本発明は、屋上緑化構造およびこれを用いた屋上防水メンテナンス方法に関する。
【背景技術】
【０００２】
建物自体の断熱効果やヒートアイランド現象の抑制、あるいは、建物景観の向上やリラックス効果などを目的として、建物の屋上に人工地盤を構築して植物を植え付けることにより緑化を図るいわゆる屋上緑化が行われている。
【０００３】
従来の屋上緑化構造としては、例えば、建物の屋上床の上面に防根性を有する防水層を形成し、該防水層の上面に貯水可能な保水層を形成し、該保水層の上面に高排水性土壌を敷き詰めるようにしたものがある（特許文献１参照）。
【特許文献１】特開平１１−３３２３７２号公報（段落０００４、図３）
【発明の開示】
【発明が解決しようとする課題】
【０００４】
ところで、建物の防水性能を長期間にわたって維持するためには、防水層や排水設備の状態を定期的に点検し、保守・管理する必要がある。
【０００５】
しかし、従来の屋上緑化構造は、建物の屋上を防水する防水層の上面に、保水層および高排水性土壌を直接敷き詰める構造であるため、建物の防水層の状態を確認するためには、これらの保水層および高排水性土壌を撤去しなければならない。そのため、メンテナンス作業が煩雑であるとともに、高コストとなるという問題があった。また、このような理由からメンテナンス作業が行われず、比較的早期に雨漏りなどの実害が発生することがあった。
【０００６】
また、従来の屋上緑化構造は、屋上の角部などの一部分だけに排水設備（排水升）を備える構造であることから、当該排水設備に枯葉や土砂が集中して詰まりやすく、頻繁に排水設備の状態を確認し、目詰まりを起こしていれば枯葉や土砂を撤去しなければならず、その作業が煩雑であるという問題があった。
【０００７】
特に、従来の屋上緑化構造を個人住宅に適用した場合には、建物の防水性能の維持管理のために、居住者に過度の負担を強いることとなる。そのため、個人住宅においては、屋上緑化構造が敬遠される傾向にあった。
【０００８】
本発明は、これらの問題に鑑みてなされたものであり、緑化のための人工地盤を撤去することなく、建物の防水層の状態を確認することができる屋上緑化構造およびこれを用いた屋上防水メンテナンス方法を提供することを課題とする。
また、本発明は、枯葉や土砂が集中的に流入することがなく、詰まり難い排水構造を備える屋上緑化構造およびこれを用いた屋上防水メンテナンス方法を提供することを他の課題とする。
【課題を解決するための手段】
【０００９】
請求項１に係る屋上緑化構造は、建物の屋上に構築される屋上緑化構造であって、屋上の外周縁に沿って立設される周壁と、屋上の少なくとも床面を被覆する防水層と、周壁及び防水層から所定間隔を隔てて配置される緑化ステージと、緑化ステージ上に設けられる緑化システムと、周壁と緑化ステージとの間に形成される第１ドレイン部と、防水層と緑化ステージとの間に形成され、第１ドレイン部と連通する第２ドレイン部と、前記周壁に設けられ、前記第１ドレイン部と前記屋上の外部とを連通する第３ドレイン部と、を有することを特徴とする。
【００１０】
かかる構成によれば、周壁と緑化ステージとの間に形成される第１ドレイン部と、防水層と緑化ステージとの間に形成され、第１ドレイン部と連通する第２ドレイン部と、を有することから、例えば、第１ドレイン部から第２ドレイン部にカメラ等の撮像装置を挿入することにより、緑化システムを撤去することなく、第２ドレイン部の底面を覆う防水層の状態を確認することができる。
【００１１】
また、緑化ステージ上に設けられた緑化システムから排出される水は、緑化ステージの外周に沿って設けられた第１ドレイン部に流入し、一部の水は第２ドレイン部を通って、周壁に設けられた第３ドレイン部から外部へ排出される。すなわち、緑化システムから排出される水に含まれる枯葉や土砂は、まず、第１ドレイン部および第２ドレイン部に堆積することとなる。そのため、第３ドレイン部が詰まる頻度を低減することができる。
【００１２】
さらに、防水層の上に緑化ステージ及び緑化システムが設けられることから、防水層の劣化要因の一つである「紫外線」の影響を受け難い構造となる。そのため、防水層の耐久性が向上し、雨漏りを防止することができるとともに、メンテナンスの手間を少なくすることができる。
また、「水」自体も防水層を劣化させる要因の一つであるが、かかる構成によれば、緑化ステージの上や緑化システムの表面を雨水が流れるため、第２ドレイン部を流れる水の量、すなわち、防水層に触れる水の量が少なくなり、緑化システムの下に直接的に建物の防水層を設けた場合に比べて、防水層の耐久性がさらに向上する。
【００１３】
ここで、「屋上」とは、建物の屋根（主に陸屋根）の上の空間をいい、いわゆるバルコニーを含むものである。また、「周壁」とは、屋上の周囲に立設されている壁体であり、例えば、建物の外壁や、建物の屋上に設けられるパラペットや、バルコニーに設けられる手摺壁などである。
【００１４】
また、「緑化システム」とは、植物を植生するための装置であり、植物と、植物を植えるための人工地盤とから構成するのが好適である。さらに、人工地盤は、例えば、耐根層と、保水層と軽量人工土壌層とを備えるのが好適である。
【００１５】
また、「防水層」としては、例えば、ＦＲＰ（Fiber Reinforced Plastic）防水、シート防水、アスファルト防水、ウレタン塗膜防水などが好適である。
【００１６】
また、「緑化ステージ」とは、建物の屋上の床面および周壁から所定間隔をあけて緑化システムを配置するための台であり、例えば、底部材と、底部材の外周縁に立設された枠部材と、底部材と屋上の床面との間に配置された複数の脚部材と、からなるのが好適である。なお、脚部材は、水平方向に相互に離間して防水層上に載置された直方体形状の部材からなるのが好適である。直方体形状の部材を防水層上に載置するようにすれば、防水層に目地や切れ目を形成する必要がなくなるため、防水層の劣化や損傷を少なくすることができる。
【００１７】
また、「第１ドレイン部」は、周壁と緑化ステージとの間に形成される空間であり、「第２ドレイン部」は、防水層と緑化ステージとの間に形成される空間である。かかる空間によって、緑化システムから流出した土砂やごみなどが、直接的にドレイン孔に流入することが防止される。すなわち、「第１ドレイン部」および「第２ドレイン部」は、ドレイン孔の閉塞を防止する緩衝帯としての役割を果たす。
【００１８】
また、第３ドレイン部は、屋上と屋上外部とを仕切る壁に形成される排水路であり、例えば、パラペットや手摺壁に形成されるのが好適である。また、第３ドレイン部が形成された周壁が下流側となるように、屋上の床面に排水勾配を設けるのが好適である。
【００１９】
なお、底部材と枠部材と脚部材とから緑化ステージを構成する場合は、緑化システムに溜まった雨水等を排水するためのドレイン孔（第４ドレイン部）を、底部材あるいは枠部材に設けるのが好適である。かかるドレイン孔によって、緑化システムに溜まった雨水等を第１ドレイン部あるいは第２ドレイン部に排水することができる。また、緑化ステージ周囲の外壁を伝わった雨水や緑化システムからオーバーフローした雨水は、第１ドレイン部の上部から流入し、一部の水は第２ドレイン部を通って、周壁に設けられた第３ドレイン部から外部へ排出される。
【００２０】
また、第１ドレイン部の少なくとも一部は、当該第１ドレイン部に流入した不要物を撤去可能な幅に形成されているのが好適である（請求項２）。
【００２１】
かかる構成によれば、第１ドレイン部の底に堆積した枯葉や土砂を容易に撤去することができる。
なお、「不要物を撤去可能な幅」の具体的な寸法は、２００ｍｍ〜６００ｍｍ程度が好ましく、３００ｍｍ〜５００ｍｍ程度であればさらに好適である。また、すべての第１ドレイン部の幅を「不要物を撤去可能な幅」とするのが好適であるが、第１ドレイン部に流入した不要物は、屋上の床面の排水勾配に沿って下流側に流れていくことから、第１ドレイン部のうち、屋上の床面の排水勾配の下流側に位置する周壁に沿う部分の幅を、「不要物を撤去可能な幅」に形成するのがさらに好適である。これにより、第１ドレイン部の、ひいては第３ドレイン部のメンテナンスを容易にしつつ、屋上に占める緑化システムの面積を大きくすることができる。
【００２２】
また、屋上緑化構造は、第１ドレイン部の上部開口部を覆う着脱自在な透水性カバーをさらに備えるのが好適である（請求項３）。
【００２３】
かかる構成によれば、第１ドレイン部の上部開口部は、透水性カバーに覆われていることから、緑化システムからオーバーフローした水によって流れてくる枯葉などの大きなごみが第１ドレイン部に流入することを防止することができる。そのため、第３ドレイン部の目詰まりを生じさせやすい枯葉などの大きなごみが第３ドレイン部に流入することが少なくなり、第３ドレイン部を詰まり難くすることが可能となる。また、透水性カバーは着脱自在に構成されていることから、透水性カバーを取り外して第１ドレイン部内に堆積した土砂などの不要物を撤去することができる。
なお、透水性カバーとしては、例えば、木製又は金属製の有孔プレートやグレーチングなどを用いるのが好適である。
【００２４】
請求項４に係る屋上防水メンテナンス方法は、請求項１から請求項３のいずれか１項に記載の屋上緑化構造を有する建物における屋上防水メンテナンス方法であって、第２ドレイン部に撮像装置を挿入し、防水層を撮像することにより、防水層の状態を確認することを特徴とする。
【００２５】
かかる方法によれば、第２ドレイン部に撮像装置を挿入し、防水層を撮像することにより、防水層の状態を確認することができる。そのため、従来の屋上緑化構造のように、防水層の上に敷き詰められた人工地盤を撤去することなく、防水層の状態を点検することができる。これにより、建物の防水性能を長期間にわたって良好な状態に維持することが可能となる。なお、撮像装置としては、工業用のファイバースコープなどを用いるのが好適である。
【発明の効果】
【００２６】
本発明によれば、緑化のための材料を撤去することなく、建物の屋上の床面に敷設された防水層の状態を容易に確認することができる。そのため、定期的にメンテナンスを行うことが容易になり、建物の防水性能を長期間にわたって良好な状態に維持することが容易となる。また、メンテナンスのための労力やコストを低減することができ、屋上緑化構造の普及を図ることができる。
【発明を実施するための最良の形態】
【００２７】
本発明を実施するための最良の形態について図面を参照して詳細に説明する。説明において、同一の要素には同一の番号を付し、重複する説明は省略する。参照する図面において、図１は、第1実施形態に係る屋上緑化構造の構造図であり、（ａ）は断面図、（ｂ）は平面図をそれぞれ示す。図２は、図１（ａ）の第１ドレイン部付近を拡大して示した図である。図３は、防水層の状態を確認している状況を示した説明図である。
【００２８】
＜第１実施形態＞
第１実施形態に係る屋上緑化構造１は、図１に示すように、主に、バルコニー１０と、このバルコニー１０から所定間隔を隔てて設けられた緑化ステージ２０と、この緑化ステージ２０上に設けられた緑化システム３０と、バルコニー１０と緑化ステージ２０との間に設けられたドレイン部４０と、から構成されている。
【００２９】
（バルコニー１０）
バルコニー１０は、図１に示すように、木造住宅の１階部分の陸屋根上に設けられており、平面視四角形状を呈している。バルコニー１０は、１階居室の屋根を兼ねる床スラブ１１と、バルコニー１０の外周縁に立設した周壁１２と、から構成されている。また、周壁１２は、手摺壁１３ａ、１３ｂ（以下、単に「手摺壁１３」という場合がある。）と、２階居室とバルコニー１０とを区画する外壁１４ａ、１４ｂ（以下、単に「外壁１４」という場合がある。）と、から構成されている。
【００３０】
バルコニー１０の床スラブ１１の上面には、排水勾配を形成するための勾配形成材１５が積層されており、外壁１４側から手摺壁１３側に向かって下り勾配になっている。そして、この勾配形成材１５の上面に、木造住宅内部への雨水等の浸入を防止するべく、防水層１６が形成されている。防水層１６は、バルコニー１０の床面全体を覆うとともに、周壁１２たる手摺壁１３および外壁１４の側面をも被覆している。
なお、バルコニー１０の床面の排水勾配は、１．０％〜２．０％程度であるのが好適である。また、防水層１６としては、木造住宅の防水に適したＦＲＰ防水を用いるのが好適である。
【００３１】
（緑化ステージ２０）
緑化ステージ２０は、バルコニー１０の防水層１６と後記する緑化システム３０との間にドレインとなる隙間を形成するための台であり、図１、図２に示すように、底部材２１と、底部材２１の外周縁に立設された枠部材２２と、底部材２１の下面とバルコニー１０の防水層１６の上面との間に配置された複数の脚部材２３と、からなる。
【００３２】
底部材２１は、平面視四角形状を呈しており、例えば耐食性に優れたステンレス製の板材等からなる。底部材２１の平面積は、バルコニー１０の平面積よりも小さく形成されており、バルコニー１０の周壁１２と底部材２１の各辺との間には隙間が形成されている。また、枠部材２２は、平面視方形枠状に形成された部材であり、底部材２１の外周縁から周壁１２と平行に立設されている。よって、バルコニー１０の周壁１２と枠部材２２の外側面との間にも隙間が形成されている。これらの隙間が特許請求の範囲にいう第１ドレイン部４１となる。
【００３３】
また、複数の脚部材２３は、それぞれ直方体形状の部材からなり、勾配形成材１５の上面を被覆する防水層１６の上に、互いに所定間隔を隔ててマトリクス状に配列されている。底部材２１は、かかる脚部材２３の上にネジ等によって固定されている。これにより、防水層１６と底部材２１との間には隙間が形成されることとなる。かかる隙間が特許請求の範囲にいう第２ドレイン部４２となる。
【００３４】
枠部材２２には、第１ドレイン部４１と枠部材２２の内側とを連通するドレイン孔２２ａが所々に設けられており、枠部材２２の内側に溜まった余分な水分を第１ドレイン部４１に排水できるようになっている。
【００３５】
（緑化システム３０）
緑化システム３０は、緑化ステージ２０の上に、さらに詳しくは底部材２１と枠部材２２とに囲まれた凹部の中に設けられており、植物を植えるための人工地盤３１と、この人工地盤に植えられた植物３２とから構成されている。
【００３６】
人工地盤３１は、図２に示すように、複数の層から構成されており、例えば下から（底部材２１側から）順に、耐根層３１ａ、保水層３１ｂ、透水シート層３１ｃ、軽量人工土壌層３１ｄ、が積層されている。
【００３７】
ここで、耐根層３１ａは、植物３２の根が緑化システム３０の外部に侵出するのを防ぐものであり、公知の耐根シートを敷設して構成される。保水層３１ｂは、植物３２の育成に必要な水分を保持しつつ、余分な水は排水する層であり、公知の保水・排水マットを敷設して構成されている。透水シート層３１ｃは、保水層３１ｂの目詰まりを防止するとともに、軽量人工土壌層３１ｄの流出を防止する膜状のフィルターである。軽量人工土壌層３１ｄは、通常の土壌に比して単位体積重量が約１／２程度に軽量化された人工土壌の層である。
なお、植物３２は、芝や草木等、どのようなものでもよく、施主の好みに合わせてレイアウトされる。
【００３８】
（ドレイン部４０）
ドレイン部４０は、緑化システム３０からの排水をバルコニー１０の外部に排出するものであり、図１、図２に示すように、緑化システム３０の周囲に形成された隙間からなる第１ドレイン部４１と、緑化システム３０の下に形成された隙間からなる第２ドレイン部４２と、第１ドレイン部４１の排水を雨樋Ｄに流すための第３ドレイン部４３と、から構成されている。
【００３９】
第１ドレイン部４１は、いわゆる側溝の役割を果たすものであり、その上部開口部には、網目状のグレーチング４４が設置されている。当該グレーチング４４は、周壁１２の側面と枠部材２２の側面とに取り付けられた逆Ｌ字型の支持部材４５によって係止されており、着脱自在になっている。緑化システム３０からの排水は、枠部材２２に形成されたドレイン孔２２ａを通って、あるいは、枠部材２２を越えて上部開口部から、第１ドレイン部４１に流入する。このとき、上部開口部から流入する排水に含まれる枯葉等の大きな不要物は、グレーチング４４の網目に引っ掛かり、第１ドレイン部４１に流れ込むのを阻止される。
【００４０】
第１実施形態においては、図１に示すように、第１ドレイン部４１のうち、手摺壁１３に沿う部分（４１ａ、４１ｂ）の幅は５００ｍｍ程度となるように形成され、外壁１４に沿う部分（４１ｃ、４１ｄ）の幅は３００ｍｍ程度となるように形成されている。そのため、第１ドレイン部４１の中に手や道具を入れて、第１ドレイン部４１に堆積した土砂や枯葉等の不要物を容易に撤去することができるようになっている。また、第１ドレイン部４１は、不要物が第３ドレイン部４３に達するまでの緩衝スペースとなり、第３ドレイン部４３が閉塞する頻度を低減させることができる。
【００４１】
第２ドレイン部４２は、底部材２１の下面と防水層１６との間に形成された平面的な排水路であり、その四方は、第１ドレイン部４１の下端部と連通している。そのため、上流側に位置する第１ドレイン部４１ｃ、４１ｄから第２ドレイン部４２に流入した排水は、脚部材２３の間を通って、下流側に位置する第１ドレイン部４１ａ、４１ｂに流出する。また、第２ドレイン部４２によって、防水層１６の上部に空間が存在することとなるため、防水層１６の表面は、乾いた状態に保たれることが多くなり、雨水の滞留や微生物等による防水層１６の劣化が抑制される。
【００４２】
なお、第２ドレイン部４２は、防水層１６の点検時において、点検スペースとして機能する。これについては、図３を参照して後に詳しく説明する．
【００４３】
第３ドレイン部４３は、手摺壁１３の外側（第１ドレイン部４１と反対側）に沿って設けられた雨樋Ｄと第１ドレイン部４１とを連通するものであり、本実施形態においては、バルコニー１０のコーナー部付近の手摺壁１３ａ、１３ｂと、手摺壁１３ｂの中央部に設置されたドレイン管４６によって形成されている。ドレイン管４６の一方の端部は雨樋Ｄの内部にはめ込まれており、他方の端部は第１ドレイン部４１の底面と側面に沿って折り曲げて広げられている。そして、ドレイン管４６の他方の端部の上に防水層１６がラップしており、ドレイン管４６と防水層１６との隙間から床スラブ１１等に水が浸入しないようになっている。
【００４４】
一般に、バルコニーや屋上の防水層は、異種材料同士の接合箇所となる排水口付近の防水層端部から損傷することが多いが、本実施形態の第１ドレイン部４１は、３００ｍｍ〜５００ｍｍと幅広であるため、ドレイン管４６付近の防水層１６が損傷した場合でも、比較的容易にその修復を行うことができる。
【００４５】
つづいて、防水層１６のメンテナンス方法について説明する。
【００４６】
バルコニー１０の防水性能を長期間（例えば１０年程度）にわたって良好な状態に保つためには、防水層１６の状態を定期的に点検し、劣化や損傷が小さいうちに補修する必要がある。第１実施形態に係る屋上緑化構造１は、防水層１６の上部に第２ドレイン部４２を有することから、この第２ドレイン部４２と工業用のファイバースコープ５０とを利用して、防水層１６の状態を点検・確認する方法について説明する。
【００４７】
（撮像装置挿入工程）
はじめに、図３に示すように、第１ドレイン部４１の上部開口部に設置されているグレーチング４４を取り外し、第１ドレイン部４１から第２ドレイン部４２にファイバースコープ５０を挿入する。
【００４８】
（防水層撮像工程）
つぎに、ファイバースコープ５０を用いて防水層１６の表面を撮像する。ファイバースコープ５０は、モニタ６０に接続されており、撮像した映像はモニタ６０に映し出される。
【００４９】
（防水層確認工程）
そして、モニタ６０に映し出された映像を観察して、防水層１６の状態を確認する。すなわち、人工地盤３１を撤去することなく、防水層１６の状態を確認することができる。
【００５０】
ある部分の確認が終了したら、ファイバースコープ５０を別の位置に移動させ、防水層撮像工程と防水層確認工程とを繰り返すことにより、防水層１６の表面全体の状態を確認する。
【００５１】
そして、防水層１６に補修が必要な程度の損傷が認められた場合には、緑化ステージ２０および緑化システム３０を撤去し、防水層１６を補修する。
【００５２】
かかる方法によれば、点検のたびに人工地盤３１を撤去する必要がないため、定期的な点検を行い易い。また、定期的な点検により、防水層１６の劣化・損傷を軽微な段階で発見することができ、メンテナンスのコストを抑制できるとともに、バルコニー１０の防水性能を長期間にわたって良好な状態に保つことができる。
【００５３】
以上、本発明を実施するための最良の形態について図面を参照して詳細に説明したが、本発明はこれに限られるものではなく、本発明の趣旨を逸脱しない範囲で適宜設計変更が可能である。
【００５４】
例えば、本実施形態においては、第１ドレイン部４１ａ、４１ｂ、４１ｃ、４１ｄの幅を、すべて３００ｍｍ〜５００ｍｍ程度となるように構成したが、これに限られるものではなく、不要物が集まり易い下流側の第１ドレイン部４１ａ、４１ｂの幅を３００ｍｍ〜５００ｍｍ程度とし、上流側の第１ドレイン部４１ｃ、４１ｄの幅を数ｍｍ〜数十ｍｍ程度（例えば５ｍｍ〜５０ｍｍ程度）にしてもよい。
【００５５】
かかる構成によれば、幅数ｍｍ〜数十ｍｍの第１ドレイン部４１ｃ、４１ｄによって、上流側の周壁１２の側面を被覆する防水層１６と緑化システム３０の人工地盤３１とが常時密着することを防止することができる。したがって、上流側の周壁１２の側面を保護する防水層１６を、通常時において、乾燥した状態に保つことができ、防水層１６の劣化・損傷を抑制することができる。また、降雨時においては、緑化ステージ２０からオーバーフローした雨水等を、当該第１ドレイン部４１ｃ、４１ｄから第２ドレイン部４２に排水することができる。
【００５６】
また、本実施形態においては、直方体形状の部材からなる脚部材２３を、防水層１６の上に載置することとしたが、これに限られるものではなく、床スラブ１１の上面から勾配形成材１５および防水層１６を貫通して柱状の脚部材を立設するようにしてもよい。
【００５７】
また、本実施形態においては、個人住宅のバルコニー１０に屋上緑化構造１を適用した場合について説明したが、これに限られるものではなく、ビルの屋上等に適用してもよい。
【００５８】
また、本実施形態においては、防水層１６の表面を観察する際に、ファイバースコープ５０を用いたが、これに限られるものではなく、防水層１６の表面を観察できれば、どのような撮像装置を用いてもよい。
【図面の簡単な説明】
【００５９】
【図１】第1実施形態に係る屋上緑化構造の構造図であり、（ａ）は断面図、（ｂ）は平面図をそれぞれ示す。
【図２】図１（ａ）の第１ドレイン部付近を拡大して示した図である。
【図３】防水層の状態を確認している状況を示した説明図である。
【符号の説明】
【００６０】
１      屋上緑化構造
１０    バルコニー
１１    床スラブ
１２    周壁
１５    勾配形成材
１６    防水層
２０    緑化ステージ
２１    底部材
２２    枠部材
２３    脚部材
３０    緑化システム
３１    人工地盤
３２    植物
４０    ドレイン部
４１    第１ドレイン部
４２    第２ドレイン部
４３    第３ドレイン部
５０    ファイバースコープ
【図１】
2006055111.tif 000003
【図２】
2006055111.tif 000004
【図３】
2006055111.tif 000005